(57)【要約】【課題】ベースプレートのアンカー筋が長くても、容易に免震基礎にベースプレートを打ち込むことができる免震基礎の構築方法を提供すること。【解決手段】免震基礎の構築方法は、建物３のマットスラブ５上に、下側ベースプレート３０が打ち込まれた免震基礎１を構築する。下側ベースプレート３０には、アンカー筋３３が取り付けられる。この免震基礎の構築方法は、マットスラブ５を構築する前に、マットスラブ５の底面の捨てコンクリート６上に架台６０を建て込むステップＳ１と、架台６０にマットスラブ５のスラブ上端筋５１および免震基礎１の補強筋２０を仮固定するステップＳ２と、マットスラブ５および免震基礎１のコンクリートを打設するステップＳ３〜Ｓ５と、を備える。【選択図】図３
2015190163.tif 000002
【特許請求の範囲】
【請求項１】
構造物の基礎上に、ベースプレートが打ち込まれた免震基礎を構築する方法であって、
前記ベースプレートには、アンカー筋が取り付けられ、
前記基礎を構築する前に、当該基礎の底面上に架台を建て込む工程と、
当該架台に前記基礎の鉄筋および前記免震基礎の鉄筋を仮固定する工程と、
前記基礎および免震基礎のコンクリートを打設する工程と、を備えることを特徴とする免震基礎の構築方法。
【請求項２】
前記架台は、前記基礎の底面上に立設けられた複数の鉛直部材と、
当該鉛直部材同士を連結する水平部材と、
前記水平部材に設けられて前記基礎の鉄筋を位置決めする位置決め鉄筋と、を備えることを特徴とする請求項１に記載の免震基礎の構築方法。
【請求項３】
前記基礎および免震基礎のコンクリートを打設する工程は、
前記基礎のうち前記免震基礎が取り付く部分を基礎欠き込み部とし、当該基礎欠き込み部を除いて前記基礎のコンクリートを打設する工程と、
前記基礎欠き込み部のコンクリート表面に高さ調整治具を設けて、当該高さ調整治具により、アンカー筋を取り付けたベースプレートの高さを調整して支持する工程と、
前記基礎欠き込み部および免震基礎のコンクリートを打設する工程と、を備えることを特徴とする請求項１または２に記載の免震基礎の構築方法。
【発明の詳細な説明】
【技術分野】
【０００１】
本発明は、構造物の基礎上に、ベースプレートが打ち込まれた免震基礎を構築する方法に関する。
【背景技術】
【０００２】
従来より、スラブの上に免震基礎を構築し、この免震基礎の上に免震装置を設置する場合がある（特許文献１参照）。
具体的には、スラブおよび免震基礎は、鉄筋コンクリート造であり、この免震基礎には、アンカー筋が取り付けられたベースプレートが打ち込まれる。免震装置は、この免震基礎のベースプレート上に設置される。
【０００３】
以上の免震基礎の施工手順は、例えば、以下のようになる。
まず、スラブを配筋して、このスラブのコンクリートを打設する。次に、スラブ上に、免震基礎を配筋し、この免震基礎の上端部に、アンカー筋を取り付けたベースプレートを設置し、この状態で、免震基礎の高流動コンクリートを打設する。
【０００４】
ところで、アンカー筋の長さが免震基礎の高さ寸法よりも長く、アンカー筋の下端部をスラブの内部に打ち込む必要が生じる場合がある。この場合、スラブを構築した後にベースプレートを設置することはできないので、免震基礎の施工手順は、例えば、以下のようになる。
まず、スラブを配筋する。
次に、免震基礎を配筋して、ベースプレートを設置する。ここで、ベースプレートの水平面内での位置は決定しているので、ベースプレートのアンカー筋とマットスラブの主筋とが干渉する場合には、マットスラブの鉄筋をずらして、ベースプレートを設置する。
その後、マットスラブおよび免震基礎のコンクリートを打設する。
【先行技術文献】
【特許文献】
【０００５】
【特許文献１】特許第５３４１７８３号公報
【発明の概要】
【発明が解決しようとする課題】
【０００６】
しかしながら、以上の施工方法では、ベースプレートを設置する際に、スラブの鉄筋をずらす作業が生じる。免震装置を支持するスラブは、マットスラブのように太径の鉄筋を用いることが多いため、このスラブの鉄筋をずらす作業に手間がかかる、という問題があった。
【０００７】
本発明は、ベースプレートのアンカー筋が長くても、容易に免震基礎にベースプレートを打ち込むことができる免震基礎の構築方法を提供することを目的とする。
【課題を解決するための手段】
【０００８】
請求項１に記載の免震基礎の構築方法は、構造物（例えば、後述の建物３）の基礎（例えば、後述のマットスラブ５）上に、ベースプレート（例えば、後述の下側ベースプレート３０）が打ち込まれた免震基礎（例えば、後述の免震基礎１）を構築する方法であって、前記ベースプレートには、アンカー筋（例えば、後述のアンカー筋３３）が取り付けられ、前記基礎を構築する前に、当該基礎の底面（例えば、後述の捨てコンクリート６）上に架台（例えば、後述の架台６０）を建て込む工程（例えば、後述のステップＳ１）と、当該架台に前記基礎の鉄筋（例えば、後述のスラブ上端筋５１）および前記免震基礎の鉄筋（例えば、後述の補強筋２０）を仮固定する工程（例えば、後述のステップＳ２）と、
前記基礎および免震基礎のコンクリートを打設する工程（例えば、後述のステップＳ３〜Ｓ５）と、を備えることを特徴とする。
【０００９】
請求項２に記載の免震基礎の構築方法は、前記架台は、前記基礎の底面上に立設けられた複数の鉛直部材（例えば、後述の鉛直部材６１）と、当該鉛直部材同士を連結する水平部材（例えば、後述の水平部材６２）と、前記水平部材に設けられて前記基礎の鉄筋を位置決めする位置決め鉄筋（例えば、後述の位置決め鉄筋６３）と、を備えることを特徴とする。
【００１０】
請求項３に記載の免震基礎の構築方法は、前記基礎および免震基礎のコンクリートを打設する工程は、前記基礎のうち前記免震基礎が取り付く部分を基礎欠き込み部（例えば、後述の欠き込み部７）とし、当該基礎欠き込み部を除いて前記基礎のコンクリートを打設する工程（例えば、後述のステップＳ３）と、前記基礎欠き込み部のコンクリート表面に高さ調整治具（例えば、後述の高さ調整治具７０）を設けて、当該高さ調整治具により、アンカー筋を取り付けたベースプレートの高さを調整して支持する工程（例えば、後述のステップＳ４）と、前記基礎欠き込み部および免震基礎のコンクリートを打設する工程（例えば、後述のステップＳ５）と、を備えることを特徴とする。
【発明の効果】
【００１１】
本発明によれば、まず、基礎の底面上に架台を建て込んで、この架台に基礎の鉄筋および免震基礎の鉄筋を仮固定する。このとき、架台には、位置決め鉄筋を取り付けておき、この位置決め鉄筋をガイドとして、基礎の鉄筋を配筋する。
次に、基礎のうち免震基礎が取り付く部分を基礎欠き込み部とし、この基礎欠き込み部を除いて基礎のコンクリートを打設する。
次に、基礎欠き込み部のコンクリート表面に、アンカー筋を取り付けたベースプレートを設置する。このとき、高さ調整治具でベースプレートの高さ位置を調整する。
そして、基礎欠き込み部および免震基礎のコンクリートを打設する。
【００１２】
ここで、ガイドとなる位置決め鉄筋の位置は、基礎の鉄筋がベースプレートのアンカー筋に干渉しないように、ベースプレートの設計図などに基づいて決定する。具体的には、ベースプレートのアンカー筋の位置を架台に墨出しして、このアンカー筋の位置を避けて基礎の鉄筋が配筋されるように、位置決め鉄筋の位置を決定する。
【００１３】
したがって、この位置決め鉄筋をガイドとして基礎の鉄筋を配筋することで、基礎の鉄筋をベースプレートのアンカー筋に干渉しない位置に配筋できるから、従来のように基礎の鉄筋をずらす必要がなくなり、ベースプレートのアンカー筋が長くても、容易に免震基礎にベースプレートを打ち込むことができる。
【００１４】
また、基礎欠き込み部を除いて基礎のコンクリートを打設し、この基礎欠き込み部のコンクリート表面に高さ調整治具を設けて、この高さ調整治具により、ベースプレートの高さを調整して位置決めする。よって、ベースプレートの高さ位置を高精度で位置決めできる。
【図面の簡単な説明】
【００１５】
【図１】本発明の一実施形態に係る免震基礎の構築方法により構築される免震基礎１の縦断面図である。
【図２】図１のＡ−Ａ断面図である。
【図３】前記実施形態に係る免震基礎の構築方法のフローチャートである。
【図４】前記実施形態に係る免震基礎の構築方法の手順を説明するための図（その１）である。
【図５】前記実施形態に係る免震基礎の構築方法の手順を説明するための図（その２）である。
【図６】前記実施形態に係る免震基礎の構築方法の手順を説明するための図（その３）である。
【図７】前記実施形態に係る免震基礎の構築方法に用いられる高さ調整治具の斜視図である。
【発明を実施するための形態】
【００１６】
以下、本発明の一実施形態について、図面を参照しながら説明する。
図１は、本発明の一実施形態に係る免震基礎の構築方法により構築される免震基礎１の縦断面図である。図２は、図１のＡ−Ａ断面図である。なお、図１では、理解の容易のため、位置決め鉄筋６３の表示を省略している。
免震基礎１は、免震装置１０を介して基礎２で建物３を支持する免震構造に用いられる。基礎２は、杭４と、この杭４の杭頭部に設けられたマットスラブ５と、を備える。
免震基礎１は、鉄筋コンクリート造であり、マットスラブ５の上に設けられて、杭４の直上に位置している。
【００１７】
免震装置１０は、免震基礎１の上に設置される。この免震装置１０は、下側のフランジ１１と、この下側のフランジ１１の上に設けられた積層ゴム１２と、この積層ゴム１２の上に設けられた上側のフランジ１３と、を備える。
積層ゴム１２は、鋼板とゴムとが交互に積層されたものである。
上下のフランジ１１、１３には、周縁部に沿って所定間隔おきに、ボルトを挿通するためのボルト挿通孔が設けられている。
【００１８】
免震基礎１には、補強筋２０が籠状に配筋されている。
また、免震基礎１の上面には、矩形状の下側ベースプレート３０が打ち込まれている。この下側ベースプレート３０の中央部には、コンクリート打設用の貫通孔３１が形成されるとともに、下側ベースプレート３０の周縁部には、貫通孔３１を中心とする円環状の所定間隔おきに、雌ねじ部３２が設けられている。この雌ねじ部３２の下端には、下方に延びるアンカー筋３３が取り付けられている。
【００１９】
また、下側ベースプレート３０の下面の所定位置には、スタッドボルト３４が打設されている。
【００２０】
建物３の下面には、上側ベースプレート４０が打ち込まれているが、この上側ベースプレート４０は、下側ベースプレート３０と略同一の構造である。
【００２１】
上述の免震装置１０の下側のフランジ１１は、下側ベースプレート３０の上に載置される。この状態で、下側のフランジ１１のボルト挿通孔にボルト１６を挿通して、このボルト１６を下側ベースプレート３０の雌ねじ部３２に締め付けて固定する。これにより、免震装置１０が免震基礎１に接合される。
【００２２】
また、免震装置の上側のフランジ１３は、フランジ１１と同一の構造であり、ボルト１７により、上側ベースプレート４０に固定される。
【００２３】
マットスラブ５には、スラブ下端筋５０およびスラブ上端筋５１が配筋されている。
スラブ下端筋５０は、格子状にシングル配筋されており、スラブ上端筋５１は、格子状にダブル配筋されている。
【００２４】
また、以上のマットスラブ５および免震基礎１には、架台６０が打ち込まれている。
架台６０は、マットスラブ５の底面の捨てコンクリート６の上に立設けられた複数の鉛直部材６１と、これら鉛直部材６１の頂部同士を連結して水平に延びる水平部材６２と、水平部材６２に設けられてマットスラブ５のスラブ上端筋５１を位置決めする複数本の位置決め鉄筋６３と、鉛直部材６１同士を連結して斜めに延びるブレース６４と、捨てコンクリート６から斜めに延びて鉛直部材６１に連結される控え６５と、を備える（図４、５参照）。
【００２５】
鉛直部材６１、水平部材６２、ブレース６４、控え６５は、山形鋼からなる。
位置決め鉄筋６３は、スラブ上端筋５１を配筋するためのガイドとなるものである。この位置決め鉄筋６３は、図４および図５にも示すように、略鉛直に延びており、水平部材６２の所定位置に溶接固定されている。これら位置決め鉄筋６３の位置は、スラブ上端筋５１が下側ベースプレート３０のアンカー筋３３およびスタッドボルト３４に干渉しないように、下側ベースプレート３０の設計図や配置図に基づいて決定する。具体的には、下側ベースプレート３０のアンカー筋３３の位置を架台に墨出しして、このアンカー筋３３の位置を避けてスラブ上端筋５１が配筋されるように、位置決め鉄筋６３の位置を決定する。
【００２６】
以下、免震基礎１を構築する手順について、図３のフローチャートを参照しながら説明する。
まず、マットスラブ５を構築するための捨てコンクリート６が打設された状態とする。この捨てコンクリート６は、マットスラブ５の底面となる。
【００２７】
ステップＳ１では、図４に示すように、捨てコンクリート６の上に架台６０を建て込む。
【００２８】
ステップＳ２では、図５に示すように、マットスラブ５および免震基礎１を配筋する。
具体的には、マットスラブ５のスラブ下端筋５０、マットスラブ５のスラブ上端筋５１、免震基礎１の補強筋２０の順に下側の鉄筋から配筋する。
このとき、スラブ上端筋５１および補強筋２０は、架台６０に仮固定する。
また、マットスラブ５のスラブ上端筋５１は、架台６０の位置決め鉄筋６３をガイドとして、この位置決め鉄筋６３の側面に当接するように配筋する。
【００２９】
ステップＳ３では、図５中の破線で示すように、マットスラブ５のうち免震基礎１が取り付く部分を欠き込み部７とし、この欠き込み部７を除いてマットスラブ５のコンクリートを打設する。
【００３０】
ステップＳ４では、図６に示すように、アンカー筋３３を取り付けた下側ベースプレート３０を設置する。
具体的には、欠き込み部７のコンクリート表面に高さ調整治具７０を設ける。
図７は、高さ調整治具７０の斜視図である。
高さ調整治具７０は、治具本体７１と、鉛直方向に延びて治具本体７１に螺合されたボルト７２と、欠き込み部７に打ち込まれたアンカー７４から治具本体７１を支持する控え７３と、を備える。ボルト７２は、上端でベースプレート３０を支持しており、このボルト７２を回転させて、このボルト７２の治具本体７１からの突出寸法を調整することで、ベースプレート３０の高さ位置を調整する。
【００３１】
ステップＳ５では、欠き込み部７および免震基礎１に高流動コンクリートを打設する。
【００３２】
本実施形態によれば、以下のような効果がある。
（１）位置決め鉄筋６３をガイドとして、マットスラブ５のスラブ上端筋５１を配筋することで、マットスラブ５のスラブ上端筋５１を下側ベースプレート３０のアンカー筋３３に干渉しない位置に配筋できるから、従来のように基礎の鉄筋をずらす必要がなくなり、下側ベースプレート３０のアンカー筋３３が長くても、容易に免震基礎１に下側ベースプレート３０を打ち込むことができる。
【００３３】
（１）欠き込み部７を除いてマットスラブ５のコンクリートを打設し、この欠き込み部７のコンクリート表面に高さ調整治具７０を設けて、この高さ調整治具７０により、下側ベースプレート３０の高さを調整して位置決めする。よって、下側ベースプレート３０の高さ位置を高精度で位置決めできる。
【００３４】
なお、本発明は前記実施形態に限定されるものではなく、本発明の目的を達成できる範囲での変形、改良等は本発明に含まれるものである。
【符号の説明】
【００３５】
１…免震基礎
２…基礎
３…建物
４…杭
５…マットスラブ
６…捨てコンクリート
７…欠き込み部
１０…免震装置
１１、１３…フランジ
１２…積層ゴム
１６、１７…ボルト
２０…補強筋
３０…下側ベースプレート
３１…貫通孔
３２…雌ねじ部
３３…アンカー筋
３４…スタッドボルト
４０…上側ベースプレート
５０…スラブ下端筋
５１…スラブ上端筋
６０…架台
６１…鉛直部材
６２…水平部材
６３…位置決め鉄筋
６４…ブレース
６５…控え
７０…調整治具
７１…治具本体
７２…ボルト
７３…控え
７４…アンカー
【図１】
2015190163.tif 000003
【図２】
2015190163.tif 000004
【図３】
2015190163.tif 000005
【図４】
2015190163.tif 000006
【図５】
2015190163.tif 000007
【図６】
2015190163.tif 000008
【図７】
2015190163.tif 000009